(57)【要約】      （修正有）【課題】使用者の需要性に応じて簡単に重心を変えることができるゴルフクラブヘッドを提供する。【解決手段】一個のヘッド本体１、少なくとも一個の重量調整体２および一個の固定部材３を有する。一個のヘッド本体１には一個の位置決め孔１１が設けられ、位置決め孔１１には一個の第一ねじ部１１１と一個の孔底部１１２が形成される。少なくとも一個の重量調整体２の外周壁には一個の第二ねじ部２１が設けられ、第二ねじ部２１はヘッド本体１の第一ねじ部１１１と互いに螺合することができ、重量調整体２には一個の内ねじ孔２２が形成され、内ねじ孔２２には一個の第三ねじ部２３が形成される。一個の固定部材３には一個の第四ねじ部３１が設けられ、第四ねじ部３１は重量調整体２の第三ねじ部２３に螺合され、固定部材３と重量調整体２が螺合する一端の端面には一個の駆動部３２が設けられるように構成されている。【選択図】図１
0003167727.tif 000002
【実用新案登録請求の範囲】
【請求項１】
一個のヘッド本体（１）、少なくとも一個の重量調整体（２）および一個の固定部材（３）有するゴルフクラブヘッドにおいて、上記一個のヘッド本体（１）には一個の位置決め孔（１１）が設けられ、上記位置決め孔（１１）には一個の第一ねじ部（１１１）と一個の孔底部（１１２）が含まれ、上記少なくとも一個の重量調整体（２）の外周壁には一個の第二ねじ部（２１）が設けられ、上記第二ねじ部（２１）は上記ヘッド本体（１）の第一ねじ部（１１１）と互いに螺合することができ、上記重量調整体（２）には一個の内ねじ孔（２２）が形成され、上記内ねじ孔（２２）には一個の第三ねじ部（２３）が形成され、上記一個の固定部材（３）には一個の第四ねじ部（３１）が設けられ、上記第四ねじ部（３１）は上記重量調整体（２）の第三ねじ部（２３）に螺合されることを特徴とするゴルフクラブヘッド。
【請求項２】
上記ヘッド本体（１）の孔底部（１１２）は封止孔からなることを特徴とする請求項１に記載のゴルフクラブヘッド。
【請求項３】
上記ヘッド本体（１）の孔底部（１１２）は座ぐり部からなることを特徴とする請求項１に記載のゴルフクラブヘッド。
【請求項４】
上記第一ねじ部（１１１）には二個のねじ山しか有しないことを特徴とする請求項１または２に記載のゴルフクラブヘッド。
【請求項５】
上記固定部材（３）と重量調整体（２）が螺合する一端の端面には一個の駆動部（３２）が設けられることを特徴とする請求項１または２に記載のゴルフクラブヘッド。
【請求項６】
上記固定部材（３）において駆動部（３２）が設けられていないもう一端には頭部（３３）が設けられることを特徴とする請求項１または２に記載のゴルフクラブヘッド。
【請求項７】
少なくとも一個の重量調整体（２）および一個の固定部材（３）有するゴルフクラブヘッドの重量配分ユニットにおいて、上記少なくとも一個の重量調整体（２）の外周壁には一個の外ねじ部（２１）が設けられ、上記重量調整体（２）には一個の内ねじ孔（２２）が形成され、上記内ねじ孔（２２）には一個の内ねじ部（２３）が形成され、上記一個の固定部材（３）には一個の外ねじ部（３１）が設けられ、上記外ねじ部（３１）は上記重量調整体（２）の内ねじ部（２３）に螺合されることを特徴とするゴルフクラブヘッドの重量配分ユニット。
【請求項８】
上記ヘッド本体（１）の孔底部（１１２）は封止孔からなることを特徴とする請求項７に記載のゴルフクラブヘッドの重量配分ユニット。
【請求項９】
上記ヘッド本体（１）の孔底部（１１２）は座ぐり部からなることを特徴とする請求項７に記載のゴルフクラブヘッドの重量配分ユニット。
【請求項１０】
上記固定部材（３）と重量調整体（２）が螺合する一端の端面には一個の駆動部（３２）が設けられることを特徴とする請求項７または８に記載のゴルフクラブヘッドの重量配分ユニット。
【請求項１１】
上記固定部材（３）において駆動部（３２）が設けられていないもう一端には頭部（３３）が設けられ、上記頭部（３３）と重量調整体（２）の間の上記固定部材（３）において少なくとも一個の座金（３４）が嵌設されることを特徴とする請求項７または８に記載のゴルフクラブヘッドの重量配分ユニット。
【考案の詳細な説明】
【技術分野】
【０００１】
本考案は、ゴルフクラブヘッドとその重量配分ユニットに関するもので、特に重心を調整することができるゴルフクラブヘッドとその重量配分ユニットに係るものである。
【背景技術】
【０００２】
ゴルフをプレーする人口の増加に従って、ゴルフクラブの功能性に対する需要も多様化になりつつある。その中に、従来のゴルフクラブヘッドは通常として一個のヘッド本体および上記ヘッド本体の前端に設けられる一個のフェース板を含む。また、上記ヘッド本体には他に一個の重量配分部材が結合され、上記ゴルフクラブヘッドの重心をさらに調整することにより、異なる使用者が異なる時間での使用に答えさせることができる。その中に、上記ヘッド本体と上記重量配分部材との結合の構造は大体として溶接、係合および螺合などの三種の構造に分けられる。
【０００３】
従来の溶接の構造を有するゴルフクラブヘッドとしては、例えば中華民国公告番号第Ｉ２２４０１７号「ゴルフクラブヘッドの重量配分体の結合構造と結合方法」（特許文献１を参照）があり、そこにおいては、一個のヘッド本体において一個の重量配分体を溶接することにより、重心を調整するとの目的に達することができるようにしたものがある。
【０００４】
従来のゴルフクラブヘッドとして、例えば中華民国公告番号第Ｍ３３９３３３号「重心調整自在のゴルフクラブヘッド」（特許文献２を参照）においては、図７に示すように、ゴルフクラブヘッド９には、一個のヘッド本体９１、二個の重り単元９２および二個の係止単元９３が含まれる。上記ヘッド本体９１には二個の組立凹部９１１が設けられる。上記二個の重り単元９２は上記二個の組立凹部９１１の中に固定され、そして上記二個の重り単元９２にはそれぞれ一個の固定部９２１と一個の肩部９２２が設けられる。上記二個の係止単元９３には一個の突出壁部９３１と一個の係止部９３２が設けられ、上記突出壁部９３１は上記重り単元９２の固定部９２１に嵌合し位置決めされ、上記係止部９３２は上記重り単元９２の肩部９２２に当接して係止されることにより、上記重り単元９２が上記組立凹部９１１から脱落するのを防止することができるようにしたものがある。
【０００５】
上記ゴルフクラブヘッド９が使用される時、係止単元９３は取り外し自在に上記重り単元９２に結合される。そしてゴルフクラブヘッド９の重心を調整したい時、係止単元９３を回動して取り外すだけで、異なる重量を有する重り単元９２を取り換えることができ、そして再び係止単元９３と重り単元９２をヘッド本体９１の組立凹部９１１に組み立てることにより、ゴルフクラブヘッド９の重心を調整することができるため、使用者の打球の需要に答えることができる。
【０００６】
また、従来のゴルフクラブヘッドとして、例えば中華民国公告番号第Ｍ２６５０７９号「ゴルフクラブヘッドの重りボルト改良構造」（特許文献３を参照）においては、図８に示すように、ゴルフクラブヘッド８には一個のねじ孔８１、一個の重りボルト８２および一個の座金８３が含まれる。重りボルト８２には一個の頭部８２１が含まれ、そして頭部８２１はねじ孔８１に螺設される。座金８３は重りボルト８２に嵌設され、そして座金８３は頭部８２１とねじ孔８１の縁の間に挟まれるようにとしたものがある。
【０００７】
上記ゴルフクラブヘッド８が使用される時、重りボルト８２は取外し自在にねじ孔８１に結合される。そしてゴルフクラブヘッド８の重心を調整したい時、同様に重りボルト８２を回動して取り外すだけで、さらに異なる重量を有する重りボルト８２を取り換えることにより、ゴルフクラブヘッド８の重心を調整することができるため、使用者の打球の需要に答えることができる。
【先行技術文献】
【特許文献】
【０００８】
【特許文献１】中華民国公告番号第Ｉ２２４０１７号
【特許文献２】中華民国公告番号第Ｍ３３９３３３号
【特許文献３】中華民国公告番号第Ｍ２６５０７９号
【考案の概要】
【考案が解決しようとする課題】
【０００９】
上記のような従来のゴルフクラブヘッドにおいては、一般として下記のような問題点を有している。
上記の中華民国公告番号第Ｉ２２４０１７号のような従来のゴルフクラブヘッドにおいては、ゴルフクラブヘッドの重量配分体を任意に取り外すことができないため、ゴルフクラブヘッドの重心を新たに調整することができないという問題点があった。
【００１０】
また、上記の中華民国公告番号第Ｍ３３９３３３号のような従来のゴルフクラブヘッドにおいては、上記ゴルフクラブヘッド９は重心を調整できるとの功能を有するが、係止単元９３と重り単元９２の間は突出壁部９３１と係止部９３２のよって係合されるだけであって、故に両者の間の結合の強度はよくないため、重り単元９２は外力による衝撃を受け易く、ヘッド本体９１から緩んで脱落してしまいため、ゴルフクラブヘッド９の打球の功能に影響を及ぼしてしまうという問題点があった。
【００１１】
さらに、上記の中華民国公告番号第Ｍ２６５０７９号のような従来のゴルフクラブヘッドにおいては、上記ゴルフクラブヘッド８も同様に重心を調整できるとの功能を有するが、重りボルト８２とねじ孔８１の間は螺合の方向で結合するだけであって、ゴルフクラブヘッド８が長時間で打球して使用された後、重りボルト８２は振動の影響を受け易いため、ねじ孔８１と重りボルト８２の螺合の関係が緩んで、さらに重りボルト８２がねじ孔８１から脱落してしまうため、ゴルフクラブヘッド８の打球の功能に影響を及ぼしてしまうという問題点があった。
【００１２】
上述した従来技術の欠点に基づいて、上述した従来のゴルフクラブヘッドの重量配分の構造を改良し、緩んで脱落せずに取外し自在に重心を新たに調整することができるゴルフクラブヘッドとその重量配分ユニットが希求されていた。
【００１３】
本考案はこのような問題点に鑑みて考案されたものであって、その第一の目的とするところは、ゴルフクラブヘッドの重心を簡単に変えることにより、使用者の需要性に応じて重心を変えることができるゴルフクラブヘッドとその重量配分ユニットを提供しようとすることにある。
【００１４】
本考案の第二の目的とするところは、ゴルフクラブヘッドの重心が変えられた後、重量配分ユニットは堅固にゴルフクラブヘッドに結合されることにより、重量配分ユニットは打球の振動によって緩んで脱落することがないゴルフクラブヘッドとその重量配分ユニットを提供しようとすることにある。
【００１５】
本考案の第三の目的とするところは、使用者の需要性に応じて重量配分ユニットを選択してゴルフクラブヘッドに堅固に固定することができるゴルフクラブヘッドとその重量配分ユニットを提供しようとすることにある。
【課題を解決するための手段】
【００１６】
上記目的を達成するために、本考案によるゴルフクラブヘッドは、以下のようになるものである。すなわち、一個のヘッド本体、少なくとも一個の重量調整体および一個の固定部材有する。上記一個のヘッド本体には一個の位置決め孔が設けられ、上記位置決め孔には一個の第一ねじ部と一個の孔底部が含まれる。上記少なくとも一個の重量調整体の外周壁には一個の第二ねじ部が設けられ、上記第二ねじ部は上記ヘッド本体の第一ねじ部と互いに螺合することができる。上記重量調整体には一個の内ねじ孔が形成され、上記内ねじ孔には一個の第三ねじ部が形成される。上記一個の固定部材には一個の第四ねじ部が設けられ、上記第四ねじ部は上記重量調整体の第三ねじ部に螺合される。
【００１７】
また、上記ヘッド本体の孔底部は封止孔からなることもできる。また、上記ヘッド本体の孔底部は座ぐり部からなることもできる。また、上記第一ねじ部には二個のねじ山しか有しないこともできる。また、上記固定部材と重量調整体が螺合する一端の端面には一個の駆動部が設けられることもできる。また、上記固定部材において駆動部が設けられていないもう一端には頭部が設けられることもできる。
【００１８】
また、本考案によるゴルフクラブヘッドの重量配分ユニットは、少なくとも一個の重量調整体および一個の固定部材有する。上記少なくとも一個の重量調整体の外周壁には一個の外ねじ部が設けられ、上記重量調整体には一個の内ねじ孔が形成され、上記内ねじ孔には一個の内ねじ部が形成される。上記一個の固定部材には一個の外ねじ部が設けられ、上記外ねじ部は上記重量調整体の内ねじ部に螺合される。
【００１９】
さらに、上記ヘッド本体の孔底部は封止孔からなることもできる。また、上記ヘッド本体の孔底部は座ぐり部からなることもできる。また、上記固定部材と重量調整体が螺合する一端の端面には一個の駆動部が設けられることもできる。また、上記固定部材において駆動部が設けられていないもう一端には頭部が設けられ、上記頭部と重量調整体の間の上記固定部材において少なくとも一個の座金が嵌設されることもできる。
【考案の効果】
【００２０】
本考案のゴルフクラブヘッドとその重量配分ユニットによれば、ゴルフクラブヘッドの重心を簡単に変えることにより、使用者の需要性に応じて重心を変えることができるという利点がある。
【００２１】
本考案のゴルフクラブヘッドとその重量配分ユニットによれば、上記ゴルフクラブヘッドの重心が変えられた後、重量配分ユニットは堅固に上記ゴルフクラブヘッドに結合されることにより、上記重量配分ユニットは打球の振動によって緩んで脱落することがないという利点がある。
【００２２】
本考案のゴルフクラブヘッドとその重量配分ユニットによれば、使用者の需要性に応じて上記重量配分ユニットを選択して上記ゴルフクラブヘッドに堅固に固定することができるという利点がある。
【図面の簡単な説明】
【００２３】
【図１】本考案の実施形態の分解斜視図である。
【図２】図１の局部の拡大図である。
【図３】本考案の実施形態の分解断面図である。
【図４】図３に示されるような組立の説明図１である。
【図５】図３に示されるような組立の説明図２である。
【図６】図３に示されるような組立の説明図３である。
【図７】第１種の従来のゴルフクラブヘッドの分解斜視図である。
【図８】第２種の従来のゴルフクラブヘッドの分解斜視図である。
【考案を実施するための形態】
【００２４】
本考案の実施の形態について、以下、図面を参照して説明する。
【００２５】
図１は本考案の実施形態の分解斜視図である。図１を参照すると、本考案の実施形態において、ゴルフクラブヘッドには一個のヘッド本体１と一個の重量配分ユニットが含まれる。上記重量配分ユニットは少なくとも一個の重量調整体２と一個の固定部材３により構成される。重量調整体２はヘッド本体１の一個の位置決め孔１１に螺合することができる。重量調整体２は固定部材３が螺合するのに用いられることができ、そして固定部材３によって重量調整体２をヘッド本体１に堅固に固定することができる。
【００２６】
図２は図１の局部の拡大図である。図１、２を参照すると、ヘッド本体１は従来の各種のゴルフクラブのヘッドからなることができ、ヘッド本体１は一個のホーゼル１２によってゴルフクラブと結合することができ、そしてヘッド本体１には一個の打撃部１３が設けられ、打撃部１３によってゴルフボールを打球することができる。ヘッド本体１には少なくとも一個の位置決め孔１１が設けられ、位置決め孔１１には一個の第一ねじ部１１１と一個の孔底部１１２が含まれる。第一ねじ部１１１には比較的少ない数のねじ山を有するように形成され、好ましくは二個の粗いねじ山からなる。孔底部１１２は一個の封止孔からなり、好ましくは一個の座ぐり部からなり、本実施形態において孔底部１１２は一個の座ぐり部１１３からなる。
【００２７】
少なくとも一個の重量調整体２はヘッド本体１の位置決め孔１１に結合され、そして少なくとも一個の重量調整体２がヘッド本体１の位置決め孔１１に結合される時、この少なくとも一個の重量調整体２は好ましくはヘッド本体１の表面から突出するように形成される。重量調整体２は各種の金属または合金の材質により製成され、また重量調整体２は異なる重量を有するように形成されることにより、使用者が適当な重量調整体２を選択してヘッド本体１の位置決め孔１１に結合することができる。
【００２８】
重量調整体２の外周壁には一個の第二ねじ部２１が設けられ、第二ねじ部２１はヘッド本体１の第一ねじ部１１１と互いに螺合することができる。そのために第二ねじ部２１も好ましくは粗いねじ山からなるように形成される。重量調整体２には一個の内ねじ孔２２が含まれ、内ねじ孔２２には一個の第三ねじ部２３が含まれる。第三ねじ部２３は標準的なねじまたは細かいねじからなることができ、第三ねじ部２３は固定部材３が螺合するのに用いることができる。
【００２９】
固定部材３は一個の第四ねじ部３１によって重量調整体２の第三ねじ部２３に螺合される。そのために、第四ねじ部３１は標準的なねじまたは細かいねじからなることができる。固定部材３と重量調整体２が螺合する一端の端面には一個の駆動部３２が設けられ、駆動部３２は一個の工具が挿入するのに用いられることにより、固定部材３が回転するように駆動することができる。駆動部３２は従来の一字形の溝、十字形の溝または多辺形の沈頭孔からなるよに形成されることもでき、本実施形態において、駆動部３２は多辺形の沈頭孔からなる。また、固定部材３において駆動部３２が設けられていないもう一端には直径が比較的大きい頭部３３が設けられることにより、固定部材３には少なくとも一個の座金３４が嵌設され、そして固定部材３と重量調整体２の間に座金３４が嵌設されることにより、固定部材３と重量調整体２との螺合がきつくなり過ぎるのを避けることができる。
【００３０】
図３は本考案の実施形態の分解断面図である。図３を参照すると、使用者が調整を行ってヘッド本体１の重心を変えたい時、一個の適当な重量を有する重量調整体２を選択して一個の固定部材３と互いに螺合することにより、固定部材３と重量調整体２は第四ねじ部３１と第三ねじ部２３によって互いに螺合し、そして固定部材３に一個の座金３４を嵌設することにより、固定部材３と重量調整体２は少し緊密にかつきつ過ぎないように螺合することができる。
【００３１】
図４は図３に示されるような組立の説明図１である。図４を参照すると、上記螺合される固定部材３と重量調整体２をヘッド本体１に結合しようとする時、先ず重量調整体２の第二ねじ部２１をヘッド本体１の第一ねじ部１１１と互いに螺合させ、さらに一個の工具４を利用して固定部材３の駆動部３２により、すでに螺合される固定部材３と重量調整体２を駆動させる。そして第二ねじ部２１と第一ねじ部１１１が粗いねじ山からなるため、二者の間はゆるみばめに形成され、さらに第四ねじ部３１と第三ねじ部２３は標準的なねじまたは細かいねじからなるため、両者の間は少し緊密になるように形成される。そのために、工具４が回動されると、重量調整体２と固定部材３は先にヘッド本体１に相対して回転するように、そして重量調整体２がヘッド本体１に相対して回転できなくなるまで回転し続ける。
【００３２】
図５は図３に示されるような組立の説明図２である。図５を参照すると、重量調整体２がヘッド本体１に相対して引き続き回転できなくなる時、仮に工具４に相対して引き続き力を施して回転させると、工具４は固定部材３を連動して重量調整体２に相対して回転し続け、そして固定部材３がヘッド本体１の孔底部１１２または座ぐり部１１３に当接するまで回転し続ける。この時、重量調整体２はヘッド本体１の位置決め孔１１の開口端へ向かって移動するように圧迫され、すなわち重量調整体２の第二ねじ部２１とヘッド本体１の第一ねじ部１１１は反対方向にパッキン（図６を参照）するように形成される。そのために、重量調整体２はヘッド本体１に相対して緊迫に位置決めするように形成されることにより、重量調整体２はヘッド本体１の位置決め孔１１に固定するように形成される。
【００３３】
その他に、本考案のゴルフクラブヘッドの重心を新たに調整し直さなければならない場合、上記工具によって元来の緊密に螺合する方向とは反対方向に固定部材３を回動させることにより、固定部材３と重量調整体２を取り出すことができ、そして適当な重量を有する重量調整体２を取り換えた後、再び上述した組立の段階を行うことにより、本考案のゴルフクラブヘッドの重心を新たな位置に調整することができる。
【００３４】
本考案に述べられた重量配分ユニットは、少なくとも一個の重量調整体２と一個の固定部材３からなることができ、そして上記重心の調整または取り換えは重量調整体２の取り換えによって達成することができ、または重量調整体２と固定部材３を同時に取り換えることによって達成することができることは、上記技術分野を熟知したものにとって容易に理解と予期のできることである。
【００３５】
また、本考案に述べられた第二ねじ部２１は、上記少なくとも一個の重量調整体の一個の外ねじ部からなることができるのは、上記技術分野を熟知したものにとって容易に理解できることである。
【００３６】
さらに、本考案に述べられた第三ねじ部２３は、上記少なくとも一個の重量調整体の一個の内ねじ部からなることができるのは、上記技術分野を熟知したものにとって容易に理解できることである。
【００３７】
さらにまた、本考案に述べられた第四ねじ部３１、上記固定部材の一個の外ねじ部からなることができるのは、上記技術分野を熟知したものにとって容易に理解できることである。
【産業上の利用可能性】
【００３８】
上述の如く、本考案のゴルフクラブヘッドとその重量配分ユニットによれば、重量調整体２の第二ねじ部２１とヘッド本体１の第一ねじ部１１１は粗いねじ山からなることができ、そしてヘッド本体１の第一ねじ部１１１は二個のねじ山しか有しないため、重量調整体２は螺合時において簡単かつ迅速に行うことができる。また、本考案のゴルフクラブヘッドとその重量配分ユニットによれば、ゴルフクラブヘッドの重心を簡単に取り換えることができる。
【００３９】
また、本考案のゴルフクラブヘッドとその重量配分ユニットによれば、上記ゴルフクラブヘッドの重心が取り換えられた後、上記少なくとも一個の重量調整体２に設けられる第三ねじ部２３を利用して固定部材３の第四ねじ部３１と旋合することにより、本考案の重量調整体２をヘッド本体１に堅固に固定することができるため、本考案の重量調整体２は打球の振動によって緩んで脱落することはない。
【００４０】
また、本考案のゴルフクラブヘッドとその重量配分ユニットによれば、使用者の使用上の需要性に応じて重量配分ユニットをゴルフクラブヘッド１に固定することにより、上記ゴルフクラブヘッドの重心を換えることができる。さらに、本考案の重量配分ユニットを簡単、迅速かつ堅固に上記ゴルフクラブヘッドに固定することができる。
【００４１】
本考案は、その精神とび必須の特徴事項から逸脱することなく他のやり方で実施することができる。従って、本明細書に記載した好ましい実施形態は例示のなものであり、限定のなものではない。
【符号の説明】
【００４２】
１    ヘッド本体
１１    位置決め孔
１１１    第一ねじ部
１１２    孔底部
１１３    座ぐり部
１２    ホーゼル
１３    打撃部
２    重量調整体
２１    第二ねじ部
２２    内ねじ孔
２３    第三ねじ部
３    固定部材
３１    第四ねじ部
３２    駆動部
３３    頭部
３４    座金
４    工具
８    ゴルフクラブヘッド
８１    ねじ孔
８２    重りボルト
８２１    頭部
８３    座金
９    ゴルフクラブヘッド
９１    ヘッド本体
９１１    組立凹部
９２    重り単元
９２１    固定部
９２２    肩部
９３    係止単元
９３１    突出壁部
９３２    係止部
【図１】
0003167727.tif 000003
【図２】
0003167727.tif 000004
【図３】
0003167727.tif 000005
【図４】
0003167727.tif 000006
【図５】
0003167727.tif 000007
【図６】
0003167727.tif 000008
【図７】
0003167727.tif 000009
【図８】
0003167727.tif 000010